【事件の表示】
　上記当事者間の登録第２４０６６１３号商標の登録取消審判事件について、次のとおり審決する。
【結　論】
　本件審判の請求は、成り立たない。
　審判費用は、請求人の負担とする。
【理　由】
第１　本件商標
　本件登録第２４０６６１３号商標（以下「本件商標」という。）は、別掲のとおりの構成からなり、平成元年１１月２９日に登録出願、第１７類「被服、その他本類に属する商品」を指定商品として、平成４年４月３０日に設定登録されたものである。
　その後、平成１４年４月２３日に存続期間の更新登録、及び同年９月１１日に第５類「失禁用おしめ」、第９類「事故防護用手袋，防じんマスク，防毒マスク，溶接マスク，防火被服」、第１０類「医療用手袋」、第１６類「紙製幼児用おしめ」、第１７類「絶縁手袋」、第２０類「クッション，座布団，まくら，マットレス」、第２１類「家事用手袋」、第２２類「衣服綿，ハンモック，布団袋，布団綿」、第２４類「布製身の回り品，かや，敷布，布団，布団カバー，布団側，まくらカバー，毛布」及び第２５類「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，ヘルメット，帽子」を指定商品とする指定商品の書換登録がなされ、さらに同２３年１１月２２日にその存続期間の更新登録がされたものである。
　そして、本件審判の請求の登録日は、令和２年６月１２日であり、以下、本件審判の登録前３年以内の期間を「要証期間」という。
第２　請求人の主張
　請求人は、商標法第５０条第１項の規定により、本件商標の指定商品中、第２５類「洋服，コート，セーター類，ワイシャツ類」についての登録を取り消す、審判費用は、被請求人の負担とする、との審決を求め、その理由を要旨「本件商標は、その指定商品中、第２５類『洋服，コート，セーター類，ワイシャツ類』（以下「本件取消商品」という。）について継続して３年以上日本国内において商標権者、専用使用権者又は通常使用権者のいずれも使用した事実が存しないから、その登録は商標法第５０条第１項の規定により取消されるべきものである。」旨主張し、証拠方法として、甲第１号証を提出した。
　なお、請求人は、被請求人の答弁に対し、何ら弁駁していない。
第３　被請求人の答弁
　被請求人は、結論同旨の審決を求めると答弁し、その理由を要旨次のように述べ、証拠方法として乙第１号証ないし乙第８号証（枝番号を含む。）を提出した。
１　本件商標の使用の事実
（１）本件商標は乙第１号証に記載されているように、英文字を横一連に「ＳＩＮＧＥＲ」と書したものであり、その字体は特殊なものではなく、一般的な書体である。そして、平成１４年９月１１日の書換登録の結果、一部の指定商品に「洋服，コート，セーター類，ワイシャツ類」を含んでいるものである。
（２）乙第２号証の１ないし乙第２号証の５は被請求人の現実の販売商品に係る商品を示したものであり、係る商品は第２５類の「コート」に相当する。
（３）乙第３号証は乙第２号の１ないし乙第２号証の４の包装形態の表面側に添付された印刷物であり、包装に係る商品を説明するためのものである。
２　使用商標の態様
（１）乙第２号証の２、同号証の４及び乙第３号証において、その中央部に横一連に「ＳＩＮＧＥＲ　ＤＩＳＰＯ　ＯＶＥＲＣＯＡＴ」という商標が使用されている。
（２）ここで、「ＤＩＳＰＯ」は「ｄｉｓｐｏｓａｂｌｅ」の略語として少なくとも現在では広く使用されているものであり、「使い捨て」という意味合いがあり、「ＯＶＥＲＣＯＡＴ」は商品の普通名称である。
（３）そうすると、乙第２号証の２、同号証の４及び乙第３号証における「ＳＩＮＧＥＲ　ＤＩＳＰＯ　ＯＶＥＲＣＯＡＴ」の部分は、本件商標「ＳＩＮＧＥＲ」と、用途と商品の普通名称からなる「ＤＩＳＰＯ　ＯＶＥＲＣＯＡＴ」からなるものである。
（４）本件商標と乙第２号証の２、同号証の４及び乙第３号証に記載された「ＳＩＮＧＥＲ」は、別の書体で記載されているが、書体のみに変更を加えた同一の文字からなる商標に該当し、乙２号証の２、同号証の４及び乙３に示された商標の使用態様は本件商標の使用に相当する。
３　本件商標の使用の時期
（１）乙第４号証は２０２０年４月１日に、また、乙第５号証は同年５月１日にそれぞれ発行された本件商標が使用された商品の納付した事実を示す納品書である。
（２）納品書中にはＪＡＮコードが示されており、乙第２号証（枝番号を含む。）及び乙第３号証に示されたＪＡＮコードと一致している。
（３）よって、乙第４号証及び乙第５号証によって、本件商標の本件取消商品「コート」について少なくとも本件審判請求日より前であって、本件審判請求の前３年以内に使用した事実を示している。
４　小括
　乙第２号の２、同号証の４、乙第３号証ないし乙第５号証によって、本件商標「ＳＩＮＧＥＲ」が本件商標の商標権者である被請求人によって本件取消商品「コート」について過去３年内に使用した事実を立証した。
第４　当審の判断
１　被請求人提出の証拠の内容
（１）乙第２号証の１ないし乙第２号証の４は、ビニールの袋に包装された商品（以下「使用商品」という。）の写真である。使用商品の包装には、中央に「ＳＩＮＧＥＲ　ＤＩＳＰＯ　ＯＶＥＲＣＯＡＴ」の文字からなる商標（以下「使用商標」という。）が記載され、下部に「宇都宮製作株式会社」の文字及びＪＡＮコードとして「４９７６３６６００２７７３」の数字が記載されている。
（２）乙第２号証の５は、使用商品を包装から取り出して広げた写真であり、半透明の長袖のコートが写っている。
（３）乙第４号証は、２０２０年（令和２年）４月１日付けで宇都宮製作株式会社が株式会社アテクト宛てに発行した納品書であり、これには商品名の欄に「ウツノミヤディスポオーバーコート」の文字及びＪＡＮコードの欄に「４９７６３６６００２７７３」の数字の記載がある。
（４）乙第５号証は、２０２０年（令和２年）５月１日付けで宇都宮製作株式会社が折武株式会社宛てに発行した納品書であり、これには商品名の欄に「ウツノミヤディスポオーバーコート」の文字及びＪＡＮコードの欄に「４９７６３６６００２７７３」の数字の記載がある。
２　被請求人提出の証拠によれば、以下の事実が認められる。
（１）本件商標に係る商標権者（以下、単に「商標権者」という。）は、使用商品を製造又は販売している（乙第２号証の１ないし乙第２号証の４）。
（２）使用商品は、半透明の長袖のオーバーコートである（乙第２号証の１ないし乙第２号証の５）。
（３）使用商品の包装には、使用商標が表示されている（乙第２号証の１ないし乙第２号証の４）。
（４）商標権者は、令和２年４月１日に株式会社アテクトに、同年５月１日に折武株式会社に対し、使用商品を納品した（乙第４号証及び乙第５号証）。
３　判断
（１）使用商標
　本件商標は、別掲のとおりの構成からなるところ、ややデザイン化されているものの「ＳＩＮＧＥＲ」の文字を表したと容易に理解されるものである。
　これに対して、使用商標は、上記１（１）のとおり、「ＳＩＮＧＥＲ　ＤＩＳＰＯ　ＯＶＥＲＣＯＡＴ」の文字からなる。
　そして、使用商標の構成中「ＤＩＳＰＯ」の文字は、被請求人の主張によれば、「使い捨て」という意味の「ｄｉｓｐｏｓａｂｌｅ」の略語として一般に使用されているものであり、また、その構成中「ＯＶＥＲＣＯＡＴ」は商品の普通名称を表すものである。
　そうすると、使用商標は、その構成中「ＤＩＳＰＯ　ＯＶＥＲＣＯＡＴ」の文字部分は、出所識別標識としての称呼、観念を生じないものといえ、そのため、その構成中「ＳＩＮＧＥＲ」の文字部分が出所識別標識としての要部ということができる。
　してみると、本件商標と使用商標の要部とは、書体のみに変更を加えた同一の文字からなるものである。
　したがって、使用商標は、本件商標と社会通念上同一と認められる商標ということができる。
（２）使用商品
　使用商品は、上記２（２）のとおり、「オーバーコート」であるから、本件取消商品中「コート」の範ちゅうに含まれる商品である。
　そして、上記２（３）のとおり、使用商品の包装には、使用商標が表示されているのだから、使用商品の包装には、使用商標が付されていたということができる。
（３）使用時期
　上記２（４）のとおり、商標権者は、令和２年４月１日に株式会社アテクトに、同年５月１日に折武株式会社に対し、使用商品を納品したのだから、商標権者は、令和２年４月１日及び同年５月１日に株式会社アテクト又は折武株式会社に対し、使用商品を譲渡したということができる。
　そして、令和２年４月１日及び同年５月１日は、いずれも要証期間内である。
（４）小括
　以上によれば、商標権者は、要証期間内に、本件商標と社会通念上同一と認められる使用商標を本件取消商品中「コート」の範ちゅうに含まれる使用商品の包装に付して譲渡したと認めることができる。上記の行為は、商標法第２条第３項第２号にいう「商品の包装に標章を付したものを譲渡する行為」に該当する。
４　むすび
　以上のとおり、被請求人は、本件審判の請求の登録前３年以内に日本国内において商標権者がその請求に係る指定商品について、本件商標と社会通念上同一と認められる商標の使用をしたことを証明したということができる。
　したがって、本件商標の登録は、その請求に係る指定商品について、商標法第５０条の規定により取り消すことはできない。
　よって、結論のとおり審決する。